(57)【要約】【課題】  振動等の外力が作用してもフックが滑らず、挟持片が拡がらず、弛んでガタが発生しないシート止め具の定着に最適な改良したジョイントを提供する。【解決手段】  断面コ字状又はＵ字状の挟持金具１と、挟持金具１に着脱自在に装着された楔２とからなり、挟持金具１は相対向する一対の挟持片３，３と、各挟持片３，３の端部に形成した開口部４，４と、各開口部４，４の開口巾を規制する相対向する一対のフック４ａ，４ａ，４ｂ，４ｂと、少なくとも一方のフック４ａ，４ａの端部に形成した尖鋭な爪７とからなり、各挟持片３，３間にチャンネル材５を挿入し、各開口部４，４内にチャンネル材５とクロスする方向にシート止め具６と楔２とを挿入し、上記楔２と挟持金具１の底面３aとでチャンネル材５を挟持し、同じく楔２と各フック４ａ，４ｂとでシート止め具６を挟持する。【選択図】        図１
2005172129.tif 000002
【特許請求の範囲】
【請求項１】
断面コ字状又はＵ字状の挟持金具と、挟持金具に着脱自在に装着された楔とからなり、挟持金具は相対向する一対の挟持片と、各挟持片の端部に形成した開口部と、各開口部の開口巾を規制する相対向する一対のフックと、少なくとも一方のフックの端部に形成した尖鋭な爪とからなり、各挟持片間にチャンネル材を挿入し、各開口部内にチャンネル材とクロスする方向にシート止め具と楔とを挿入し、上記楔と挟持金具の底面とでチャンネルを挟持し、同じく楔と各フックとでシート止め具を挟持することを特徴とするジョイント。
【請求項２】
相対向する一対のフックのうち一方のフックの開口部側端部に一つ又は複数の尖鋭な爪形成し、他方のフックの開口部側下端面を水平に形成し、上記爪の位置を上記水平な端面の位置より高い位置に配置させたことを特徴とする請求項１に記載のジョイント。
【発明の詳細な説明】
【技術分野】
【０００１】
本発明は、シート止め具用のジョイントに関し、特にＣ型チャンネル等のチャンネル材でビニールハウスの骨組を構成し、この骨組にシート止め具を固定するのに適するジョイントに関する。
【背景技術】
【０００２】
植物を育成・栽培する温室たるビニールハウスは、骨組に開口部巾狭の蟻溝フレームを固定し、この蟻溝クレームに弾性な係止線条を介して透明な合成樹脂シートを固定して屋根面、側面、妻面にシートを展張するのが一般的である。
【０００３】
このシートは、普通軟質シートであるから、上記の蟻溝フレーム内に係止線条を介して定着できるが、シートが硬質である場合にはその剛性の為に定着できない場合がある。強制的に定着しようとするとシートが損傷したり、係止線条が飛び出したりする不具合がある。
【０００４】
そこで、非特許文献１に示すような硬質シートを固定できるシート止め具６が開発されている。
【０００５】
このシート止め具６は、図６に示すように水平板９ａ，９ｂからなる水平フレーム９と、水平フレーム９の端部に斜めに起立する傾斜フレーム１０と、傾斜フレーム１０に近接して二重に折り曲げながら起立する垂直フレーム１１と、傾斜フレーム１０と垂直フレーム１１との間に形成したタップ溝１２とで構成されていて、このシート止め具６は、ビニールハウスの骨組たるＣ型チャンネル５上にこれとクロスする方向に載置されながらビス１３を介して固定されている。
【０００６】
硬質シートＳを展張する場合にはシート止め具６上にシートＳを配設し、このシートＳをシート止め具６上に設けた押えフレーム１４で押し込み、次いで、ネジ１５を孔１６とシートＳを貫通させてタップ溝１２内にねじ込んで押えフレーム１４を固定し、これによってシートＳをシート止め具６と押えフレーム１４とで挟持するものである。
【０００７】
しかしながら、このシート止め具６は、機能上の問題は無いが、Ｃ型チャンネル５上にビス１３で固定しているだけであるから保持力が弱く強風がシートＳに作用したり、地震や強風でＣ型チャンネル５やシート止め具６が振動するとビス１３が弛み、シート止め具６がＣ型チャンネル５から脱落するおそれがあり、又ビス１３の着脱操作も面倒である。
【０００８】
この為、このシート止め具を簡単に骨組に装着でき、シート止め具が脱落しない特許文献１に示すようなジョイントが開発されている。
【０００９】
このジョイントは、Ｕ字状に折り曲げた挟持金具と挟持金具に着脱自在に装着される楔とからなり、挟持金具は相対向する一対の挟持片と、各挟持片の端部に形成した開口部と、各開口部の開口巾を規制する相対向する一対のフックとからなるものである。
【００１０】
そして、シート止め具と楔が上記開口部内に骨組とクロスして挿入することによりフックと楔とでシート止め具が挟持されるものである。このジョイントを利用すると挟持金具内に骨組たるＣ型チャンネル、パイプ等を挿入し、開口部内にシート止め具と楔を骨組とクロスする方向に挿入することによりシート止め具が楔とフックとで挟持できる。
【非特許文献１】東都興業株式会社カタログ（平成２年９月１０日発行）
【特許文献１】実用新案登録第３０３３３１６号公報（図１参照）
【発明の開示】
【発明が解決しようとする課題】
【００１１】
しかしながら、上記のジョイントは、一対の挟持片同志が離れていること、一対のフックがシート止め具の側面を押え込んでいるだけであるから、挟持金具に振動が作用するとフックがシート止め具の側面を滑り、その保持力が弱まり、且つフックが滑った時一対の挟持片が互いに離れる方向に拡がってしまうおそれがあり、その結果、楔が弛み、挟持金具がガタ付き、骨組からジョイントやシート止め具が脱落するおそれがある。
【００１２】
そこで、本発明の目的は、振動等の外力が作用してもフックが滑らず、挟持片が拡がらず、弛んでガタが発生しないシート止め具の定着に最適な改良したジョイントを提供することである。
【課題を解決するための手段】
【００１３】
上記の目的を達成するため、本発明のジョイントは、断面コ字状又はＵ字上の挟持金具と、挟持金具に着脱自在に装着された楔とからなり、挟持金具は相対向する一対の挟持片と、各挟持片の端部に形成した開口部と、各開口部の開口巾を規制する相対向する一対のフックと、少なくとも一方のフックの端部に形成した尖鋭な爪とからなり、各挟持片間にチャンネル材を挿入し、各開口部内にチャンネル材とクロスする方向にシート止め具と楔とを挿入し、上記楔と挟持金具の底面とでチャンネル材を挟持し、同じく楔と各フックとでシート止め具を挟持することを特徴とするものである。
【００１４】
この場合、相対向する一対のフックのうち一方のフックの開口部側端部に一つ又は複数の尖鋭な爪形成し、他方のフックの開口部側下端面を水平に形成し、上記爪の位置を上記水平な端面の位置より高い位置に配置させても良い。
【発明の効果】
【００１５】
各請求項の発明によれば、フックに尖鋭な爪を形成しているので、挟持金具に振動等の外力が作用しても、この爪がシート止め具の側面に喰い込んでいるのでフックが滑らず、その結果が一対の挟持片が互いに離れる方向に拡がるのが防止され、よって楔が弛まず、挟持金具がガタ付いたり、骨組から脱落するのが防止される。更に楔の打ち込みで骨組に対してシート止め具が簡単に装着でき、シートの展張作業が著しく向上する。
【発明を実施するための最良の形態】
【００１６】
以下、本発明の実施の形態を図にもとづいて説明するが、本発明のジョイントは、図1，図３に示すように、断面コ字状又はＵ字状の挟持金具１と、挟持金具１に着脱自在に装着された楔２とからなっている。
【００１７】
挟持金具１は、相対向する一対の挟持片３，３と、各挟持片３，３の端部に形成した開口部４，４と、各開口部４，４の開口巾を規制する相対向する一対のフック４ａ，４ａ，４ｂ，４ｂと、少なくとも一方のフック４ａ，４ａの端部に形成した尖鋭な爪７とからなっている。
【００１８】
そして、挟持片３，３間にビニールハウスの骨組たるＣ型チャンネルその他同様のチャンネル材５を挿入し、各開口部４，４内にチャンネル材５とクロスする方向にシート止め具６と楔２とを挿入する。
【００１９】
これにより、上記楔２と挟持金具１の底面３ａとでチャンネル材５を挟持し、同じく楔２と各フック４ａ，４ｂとでシート止め具６を挟持することになり、シート止め具６がジョイント１を介してチャンネル材５，パイプ等の骨組に固定されることになる。
【００２０】
フック４ａ，４ｂは、左右同一形状でも良いが、図示のように相対向する一対のフック４ａ，４ｂのうち、一方のフック４ａの開口部４側端部に一つ又は複数の尖鋭な爪７を形成し、他方のフック４ｂの開口部側下端面８を水平に形成し、上記爪７の位置を上記水平な下端面８の位置より高い位置に配置させても良い。
【００２１】
但し、上記下端面８の高さと爪７の高さは同一にしても良く、更に、各挟持片３，３には上方の任意の位置に内側に向けて二つの仮止め用係止片２０，２０が形成されている。
【００２２】
フック４ａ，４ｂは、左右対称で同一形状に形成しても良く、この場合は、従来公知の蟻溝フレームからなるシート止め具が装着でき、図示のようなフック４ａ，４ｂを形成した場合には、図示したシート止め具６の定着に適するものである。
【００２３】
図示したシート止め具６は、水平板９ａ，９ｂからなる水平フレーム９と、水平フレーム９の端部に斜めに起立する傾斜フレーム１０と、傾斜フレーム１０に近接して起立する垂直フレーム１１と、傾斜フレーム１０と垂直フレーム１１との間に形成したタップ溝１２とで構成されている。
【００２４】
楔２は、公知のものとほぼ同じものであり、水平部２ａと脚部２ｂからなる断面コ字状の本体と、脚部２ｂの下端部に形成したテーパ面２eと、水平部２ａに切り込んだ係止片２ｃと、本体の背部に設けたストッパー２ｄとで構成されている。但し、楔効果を発揮できるものであれば他の形状の楔であっても良い。
【００２５】
次に、本発明のジョイントを利用して硬質シートＳを温室たるビニールハウスの屋根面、側面、妻面等に展張する工程を説明する。
【００２６】
図５に示すように、Ｈ鋼等の鋼材ＨにＣ型チャンネル又はパイプ等のチャンネル材５をクロスして結合することにより温室の骨組を構築する。
【００２７】
次に、チャンネル材５の下方から上方に向けてジョイントの挟持金具１を差し込む。この時係止片２０は、下向きになっていて板バネ状に形成されているから、この係止片２０を押し込みながら挟持片３、３が上方に移動する。
【００２８】
係止片２０がチャンネル材５を乗り越えると自己の復元力で内側に突出し、この係止片２０がチャンネル材５の上端に係合し、挟持金具１がチャンネル材５に仮止めされる。
【００２９】
この状態から開口部４，４内にチャンネル材５とクロスする方向にシート止具６を挿入し、次いで、同じ方向からシート止め具６の下方における開口部４，４に楔２を打ち込む。
【００３０】
これにより、楔２がテーパ面２ｅに沿って開口部４，４内に深く侵入するにつれてシート止め具６が上方、即ちフック４ａ，４ｂ方向に押し上げられ、最終的にシート止め具６が楔２の水平部２ａとフック４ａ，４ｂとで挟持され、シート止め具６がジョイントを介してチャンネル材５、言い換えれば、温室の骨組に固定される。
【００３１】
この際、一方のフック４ａの爪７は、シート止め具６における傾斜フレーム１０の側面１０ａに喰い込んで滑りが防止され、よって一対の挟持片３，３が振動等の外力が作用しても互いに離れる方向に拡がるのが防止され、楔２の弛みや、ジョイント全体のガタ付きも防止される。
【００３２】
更に、シート止め具６が楔２で押し上げられた時他方のフック４ｂの下部水平な端面８の高さが爪７の位置より低い位置に設定されていることから、この水平な端面８にシート止め具６のフレーム９が当接し、この水平フレーム９自身もフック４ｂと楔２とで挟持され、シート止め具６の弛み、ガタ付きが防止される。
【００３３】
このようにシート止め具６がチャンネル材５上にジョイントを介して固定した状態で図５に示すようシート止め具６上にシート、例えば、硬質シートＳを拡げて置き、次いでこの硬質シートＳの上方からシート止め具６に対向して押えフレーム１４を配置し、次いでシート止め具６における傾斜フレーム１０と垂直フレーム１１の各上端彎曲部１０ｂ、１１ｂ(図４)と押えフレーム１４の下面とで硬質シートＳを挟持しておく。
【００３４】
次に、この状態で押えフレーム１４のビス孔１６より硬質シートＳを貫通させながらネジ１５をねじ込んでこれをシート止め具６のタップ溝１２内に螺着又は圧入する。
【００３５】
これにより硬質シートＳがシート止め具６と押えフレーム１４とで均一に挟持され、その結果硬質シートＳが骨組上、言い換えれば、温室たるビニールハウスの屋根面、側面、又は妻面に展張される。
【図面の簡単な説明】
【００３６】
【図１】本発明の一実施の形態に係るジョイントを利用してシート止め具をチャンネル材に固定した状態の斜視図である。
【図２】図１の一部拡大斜視図である。
【図３】図１の分解斜視図である。
【図４】図１の×―×線縦断正面面である。
【図５】硬質シートを展張したビニールハウスの屋根面の一部切欠き斜視図である。
【図６】従来のシートの止め具の固定状態を示す斜視図である。
【符号の説明】
【００３７】
１  挟持金具
２  楔
３  挟持片
４  開口部
４ａ，４ｂ  フック
５  チャンネル材
６  シート止め具
７  爪
８  端面
９  水平フレーム
１０  傾斜フレーム
１１  垂直フレーム
１２  タップ溝
【図１】
2005172129.tif 000003
【図２】
2005172129.tif 000004
【図３】
2005172129.tif 000005
【図４】
2005172129.tif 000006
【図５】
2005172129.tif 000007
【図６】
2005172129.tif 000008